【手続補正書】
【提出日】平成17年2月15日(2005.2.15)
【手続補正１】
【補正対象書類名】明細書
【補正対象項目名】全文
【補正方法】変更
【補正の内容】
【書類名】        明細書
【発明の名称】    乗用型田植機の予備苗のせ台構造
【特許請求の範囲】
【請求項１】  機体左右方向の横軸芯周りに前後に揺動自在な支持リンクを、機体の前部の横側部に備えて上方に延出し、
機体左右方向の横軸芯周りに前後に揺動自在な支持フレームを前記支持リンクの上部に備え、苗を載置する予備苗載置部を前記支持フレームに備えて、
前記予備苗載置部及び支持フレームを、機体の前部の横側部に位置する作業位置、及び作業位置よりも前方に位置する補給位置に亘り移動自在に構成すると共に、
前記予備苗載置部及び支持フレームを作業位置及び補給位置で保持及び保持解除自在なロック機構を備え、
前記ロック機構を保持状態及び保持解除状態に操作するもので人為的に操作される操作具を、前記支持フレームに備えてある乗用型田植機の予備苗のせ台構造。
【請求項２】  前記ロック機構を保持状態側に付勢する付勢機構を備えてある請求項１に記載の乗用型田植機の予備苗のせ台構造。
【請求項３】  前記支持リンクに１つの前記支持フレームを備えてある請求項１又は２に記載の乗用型田植機の予備苗のせ台構造。
【請求項４】  作業位置において、前記支持リンク及び支持フレームが側面視で機体に対して真っ直ぐに上下方向に延出されて、前記支持リンク及び支持フレームが側面視で略一直線に並ぶように構成してある請求項１〜３のうちのいずれか一つに記載の乗用型田植機の予備苗のせ台構造。
【請求項５】  前記予備苗載置部と略同じ高さに位置するように、前記操作具を前記支持フレームに備えてある請求項１〜４のうちのいずれか一つに記載の乗用型田植機の予備苗のせ台構造。
【請求項６】  前記操作具を前方及び後方に延出してある請求項１〜５のうちのいずれか一つに記載の乗用型田植機の予備苗のせ台構造。
【請求項７】  前記後方に延出された操作具を下方に操作することにより、前記ロック機構が保持解除状態に操作され、
前記前方に延出された操作具を上方に操作することにより、前記ロック機構が保持解除状態に操作されるように構成してある請求項６に記載の乗用型田植機の予備苗のせ台構造。
【請求項８】  前記操作具の前側の端部及び後側の端部に、機体左右方向で前記予備苗載置部側に延出された握り部を備えてある請求項６又は７に記載の乗用型田植機の予備苗のせ台構造。
【請求項９】  前記ロック機構を前記支持リンクと支持フレームとの接続部分に備えて、
前記ロック機構により前記支持リンクと支持フレームとの姿勢を保持及び保持解除することにより、前記予備苗載置部及び支持フレームを作業位置及び補給位置で保持及び保持解除自在に構成してある請求項１〜８のうちのいずれか一つに記載の乗用型田植機の予備苗のせ台構造。
【請求項１０】  前記ロック機構を構成する部材を前記支持リンクに固定し、前記ロック機構を構成する部材を前記支持フレームの基部に当て付けて、前記支持リンクに対する前記支持フレームの機体左右方向の傾斜を防止するように構成してある請求項９に記載の乗用型田植機の予備苗のせ台構造。
【請求項１１】  前記予備苗載置部及び支持フレームを、作業位置よりも後方に位置する退避位置に移動自在に構成し、前記ロック機構により前記予備苗載置部及び支持フレームを退避位置で保持及び保持解除自在に構成してある請求項１〜１０のうちのいずれか一つに記載の乗用型田植機の予備苗のせ台構造。
【発明の詳細な説明】
【０００１】
【発明の属する技術分野】
本発明は、乗用型田植機における予備苗のせ台の構造に関する。
【０００２】
【従来の技術】
乗用型田植機では例えば特許文献１に開示されているように、機体左右方向の横軸芯周りに前後に揺動自在な支持リンク（特許文献１の第１図及び第２図中の３０Ａ，３０Ｂ）を、機体の前部の横側部に備えて上方に延出し、機体左右方向の横軸芯周りに前後に揺動自在な支持フレームを支持リンクの上部に備え、苗を載置する予備苗載置部（特許文献１の第１図及び第２図中の２８）を支持フレームに備えて、予備苗のせ台を構成したものがある。
これにより特許文献１の構造によると、予備苗載置部及び支持フレームを、機体の前部の横側部に位置する作業位置（特許文献１の第１図及び第２図の二点鎖線の状態参照）、及び作業位置よりも前方に位置する補給位置（特許文献１の第１図及び第２図の実線の状態参照）に亘り移動させることができる。
【０００３】
従って、通常の植付作業の場合には、予備苗載置部及び支持フレームを作業位置に位置させておくのであり、機体の運転部の操縦者が予備苗載置部から苗を取り出して苗植付装置に補給する。畦から苗を補給する場合には、機体の前部が畦に接するような状態で機体を停止させ、予備苗載置部及び支持フレームを補給位置に移動させることにより、畦の作業者が予備苗載置部に苗を補給する。
【０００４】
【特許文献１】
実公平２−３２００６号公報（第１図及び第２図）
【０００５】
【発明が解決しようとする課題】
特許文献１の構造のように、予備苗載置部及び支持フレームを作業位置及び補給位置に移動自在に構成した場合、予備苗載置部及び支持フレームを作業位置及び補給位置で保持及び保持解除自在なロック機構を備えて、予備苗載置部及び支持フレームが作業位置及び補給位置で安定するように構成する必要がある。
【０００６】
本発明は乗用型田植機の予備苗のせ台構造において、予備苗載置部及び支持フレームを作業位置及び補給位置に移動自在に構成し、予備苗載置部及び支持フレームを作業位置及び補給位置で保持及び保持解除自在なロック機構を備えた場合、ロック機構を保持状態及び保持解除状態に操作することが容易に行えるように構成することを目的としている。
【０００７】
【課題を解決するための手段】
［Ｉ］
機体左右方向の横軸芯周りに前後に揺動自在な支持リンクを、機体の前部の横側部に備えて上方に延出し、機体左右方向の横軸芯周りに前後に揺動自在な支持フレームを支持リンクの上部に備え、苗を載置する予備苗載置部を支持フレームに備えて、予備苗のせ台を構成し、予備苗載置部及び支持フレームを、機体の前部の横側部に位置する作業位置、及び作業位置よりも前方に位置する補給位置に亘り移動自在に構成した場合、請求項１の特徴によると、
予備苗載置部及び支持フレームを作業位置及び補給位置で保持及び保持解除自在なロック機構を備え、ロック機構を保持状態及び保持解除状態に操作するもので人為的に操作される操作具を、支持フレームに備えている。
【０００８】
これにより、請求項１の特徴によると、支持リンクが機体の前部の横側部に備えられて上方に延出され、支持フレームが支持リンクの上部に備えられているので、支持フレームが比較的高い位置に位置することになり、支持フレームに備えられる操作具も比較的高い位置に位置することになる。請求項１の特徴のように操作具が比較的高い位置に位置していれば、機体の運転部の操縦者や畦の作業者が操作具を操作する場合、あまり腰を曲げなくても操作具を比較的容易に持って操作することができる。
【０００９】
請求項１の特徴のように支持フレームに操作具が備えられていると、予備苗載置部及び支持フレームを作業位置及び補給位置に移動させた場合、操作具も予備苗載置部及び支持フレームと一緒に移動することになるので、予備苗載置部及び支持フレームの作業位置において、操作具が機体の運転部の操縦者に近い状態となるのであり、予備苗載置部及び支持フレームの作業位置において、操作具が畦の作業者に近い状態となる。
これにより請求項１の特徴によると、予備苗載置部及び支持フレームの作業位置において、機体の運転部の操縦者にとって操作具を比較的容易に持って操作することができるのであり、予備苗載置部及び支持フレームの補給位置において、畦の作業者にとって操作具を比較的容易に持って操作することができる。
【００１０】
［ＩＩ］
請求項２の特徴によると、請求項１の場合と同様に前項［Ｉ］に記載の「作用」を備えており、これに加えて以下のような「作用」を備えている。
請求項２の特徴によると、ロック機構を保持状態側に付勢する付勢機構を備えているので、ロック機構が保持状態で安定することになり、ロック機構が保持状態から保持解除状態に操作され難くなる。
【００１１】
［ＩＩＩ］
請求項３の特徴によると、請求項１又は２の場合と同様に前項［Ｉ］［ＩＩ］に記載の「作用」を備えており、これに加えて以下のような「作用」を備えている。
乗用型田植機において機体の運転部から見た場合、支持リンク、予備苗載置部及び支持フレームは右（左）斜め前方に位置することになるのであり、支持フレームは上部に位置することになる。
請求項３の特徴によると支持リンクに１つの支持フレームを備えて構成しているので、支持リンクに複数の支持フレームを備えて構成する場合に比べて、機体の運転部の操縦者にとって、支持フレームが右（左）斜め前方の視界の邪魔になり難い。
【００１２】
［ＩＶ］
請求項４の特徴によると、請求項１〜３のうちのいずれか一つの場合と同様に前項［Ｉ］〜［ＩＩＩ］に記載の「作用」を備えており、これに加えて以下のような「作用」を備えている。
請求項４の特徴によると、予備苗載置部及び支持フレームの作業位置において支持リンク及び支持フレームが側面視で機体に対して真っ直ぐに上下方向に延出されており、支持リンク及び支持フレームが側面視で略一直線に並ぶように構成している。
これにより請求項４の特徴によると、予備苗載置部及び支持フレームの作業位置において、予備苗載置部に載置された苗の重量が支持フレーム及び支持リンクに掛かった場合、苗の重量が無理なく支持フレーム及び支持リンクに掛かって支持されるようになる。
【００１３】
［Ｖ］
請求項５の特徴によると、請求項１〜４のうちのいずれか一つの場合と同様に前項［Ｉ］〜［ＩＶ］に記載の「作用」を備えており、これに加えて以下のような「作用」を備えている。
支持フレームに予備苗載置部を上下方向に複数個備えることが多くある。これにより、支持フレームに操作具を備える場合、支持フレームにおいて上側の予備苗載置部と下側の予備苗載置部との間の部分に操作具を備えると、下側の予備苗載置部から予備苗を取り出す際に操作具が邪魔になることがある。
【００１４】
請求項５の特徴によると、予備苗載置部と略同じ高さに位置するように、操作具を支持フレームに備えており、支持フレームにおいて上側の予備苗載置部と下側の予備苗載置部との間の部分に操作具が位置するようなことがないので、予備苗載置部から苗を取り出す際に操作具が邪魔になるようなことがない。
【００１５】
［ＶＩ］
請求項６の特徴によると、請求項１〜５のうちのいずれか一つの場合と同様に前項［Ｉ］〜［Ｖ］に記載の「作用」を備えており、これに加えて以下のような「作用」を備えている。
請求項６の特徴によると、操作具を前方及び後方に延出しているので、機体の運転部の操縦者にとって後方に延出された操作具が近い状態となるのであり、畦の作業者にとって前方に延出された操作具が近い状態となる。
これにより、請求項６の特徴によると、機体の運転部の操縦者にとって後方に延出された操作具を比較的容易に持って操作することができるのであり、畦の作業者にとって前方に延出された操作具を比較的容易に持って操作することができる。
【００１６】
［ＶＩＩ］
請求項７の特徴によると、請求項６の場合と同様に前項［Ｉ］〜［ＶＩ］に記載の「作用」を備えておりこれに加えて以下のような「作用」を備えている。
前項［Ｉ］に記載のように、機体左右方向の横軸芯周りに前後に揺動自在な支持リンクを、機体の前部の横側部に備えて上方に延出し、機体左右方向の横軸芯周りに前後に揺動自在な支持フレームを支持リンクの上部に備えた場合、予備苗載置部及び支持フレームを作業位置から補給位置に移動させる際、支持リンクの上部が円弧軌跡に沿って移動することによって、予備苗載置部及び支持フレームが作業位置から補給位置に斜め前方下方に移動する状態となる。逆に予備苗載置部及び支持フレームを補給位置から作業位置に移動させる際、支持リンクの上部が円弧軌跡に沿って移動することによって、予備苗載置部及び支持フレームが補給位置から作業位置に斜め後方上方に移動する状態となる。
【００１７】
請求項７の特徴によると、後方に延出された操作具を下方に操作することによりロック機構が保持解除状態に操作され、前方に延出された操作具を上方に操作することによりロック機構が保持解除状態に操作されるように構成している。
これにより請求項７の特徴によると、予備苗載置部及び支持フレームの作業位置において、機体の運転部の操縦者が後方に延出された操作具を持って下方に操作してロック機構を保持解除状態に操作し、予備苗載置部及び支持フレームを斜め前方下方に移動させることにより、予備苗載置部及び支持フレームを作業位置から補給位置に移動させることができる。このように機体の運転部の操縦者にとって、予備苗載置部及び支持フレームを作業位置から補給位置に移動させる場合、後方に延出された操作具を下方に操作する動作と、予備苗載置部及び支持フレームが作業位置から補給位置に斜め前方下方に移動する状態とが、同じような方向となる。
【００１８】
逆に予備苗載置部及び支持フレームの補給位置において、畦の作業者が前方に延出された操作具を持って上方に操作してロック機構を保持解除状態に操作し、予備苗載置部及び支持フレームを斜め後方上方に移動させることにより、予備苗載置部及び支持フレームを補給位置から作業位置に移動させることができる。このように畦の作業者にとって、予備苗載置部及び支持フレームを補給位置から作業位置に移動させる場合、前方に延出された操作具を上方に操作する動作と、予備苗載置部及び支持フレームが補給位置から作業位置に斜め後方上方に移動する状態とが、同じような方向となる。
【００１９】
［ＶＩＩＩ］
請求項８の特徴によると、請求項６又は７の場合と同様に前項［Ｉ］〜［ＶＩＩ］に記載の「作用」を備えており、これに加えて以下のような「作用」を備えている。
請求項８の特徴によると、操作具の前側の端部及び後側の端部に、機体左右方向で予備苗載置部側に延出された握り部を備えている。これにより、請求項８の特徴によると、機体の運転部の操縦者（畦の作業者）が手を延ばして、後方（前方）に延出された操作具を持つ場合、機体左右方向に延出された操作具の握り部は持ち易いものとなる。
【００２０】
この場合、請求項８の特徴によると、操作具の握り部が予備苗載置部側に延出されており、平面視で予備苗載置部の左右幅の範囲から操作具の握り部があまり出ない状態となるので、後方（前方）に延出された操作具を操作しない状態において、操作具の握り部が邪魔になるようなことが少ない。
【００２１】
［ＩＸ］
請求項９の特徴によると、請求項１〜８のうちのいずれか一つの場合と同様に前項［Ｉ］〜［ＶＩＩＩ］に記載の「作用」を備えており、これに加えて以下のような「作用」を備えている。
前項［Ｉ］に記載のように、機体左右方向の横軸芯周りに前後に揺動自在な支持リンクを、機体の前部の横側部に備えて上方に延出し、機体左右方向の横軸芯周りに前後に揺動自在な支持フレームを支持リンクの上部に備えた場合、支持リンクに対する支持フレームの姿勢を保持すれば、機体に対する支持リンクの姿勢も保持される。
【００２２】
請求項９の特徴によると、ロック機構を支持リンクと支持フレームとの接続部分に備えて、ロック機構により支持リンクと支持フレームとの姿勢を保持及び保持解除することにより、予備苗載置部及び支持フレームを作業位置及び補給位置で保持及び保持解除自在に構成している。
これにより、請求項９の特徴のように、ロック機構を支持リンクと支持フレームとの接続部分に備えることにより、１つのロック機構によって支持リンクに対する支持フレームの姿勢の保持、機体に対する支持リンクの姿勢の保持を行うことができて、予備苗載置部及び支持フレームを作業位置及び補給位置で保持することができる。
【００２３】
［Ｘ］
請求項１０の特徴によると、請求項９の場合と同様に、前項［Ｉ］〜［ＩＸ］に記載の「作用」を備えており、これに加えて以下のような「作用」を備えている。
前項［ＩＸ］に記載のように、ロック機構を支持リンクと支持フレームとの接続部分に備えた場合、請求項１０の特徴によると、ロック機構を構成する部材を支持リンクに固定し、ロック機構を構成する部材を支持フレームの基部に当て付けて、支持リンクに対する支持フレームの機体左右方向の傾斜を防止するように構成している。これにより、請求項１０の特徴によると、ロック機構を構成する部材が、支持リンクに対する支持フレームの機体左右方向の傾斜を防止する部材に兼用される。
【００２４】
［ＸＩ］
請求項１１の特徴によると、請求項１〜１０のうちのいずれか一つの場合と同様に前項［Ｉ］〜［Ｘ］に記載の「作用」を備えており、これに加えて以下のような「作用」を備えている。
例えば畦を越えて機体を水田に入れる場合や畦を越えて路上に出す場合に、近年では機体の運転部から操縦者が降りて地上から機体を操縦することにより、畦を越えて機体を水田に入れたり、畦を越えて路上に出すような操作を行うことがある。この場合、地上の操縦者は機体の前部の前側や横側に立って機体を操縦することになるので、機体の前部の横側部に予備苗載置部及び支持フレームが備えられていると、予備苗載置部及び支持フレームが邪魔になって、地上の操縦者にとって機体の操縦が行い難くなることがある。
【００２５】
請求項１１の特徴によると、予備苗載置部及び支持フレームを、作業位置よりも後方に位置する退避位置に移動自在に構成し、ロック機構により予備苗載置部及び支持フレームを退避位置で保持及び保持解除自在に構成している。
これにより、請求項１１に特徴によると、例えば畦を越えて機体を水田に入れる場合や畦を越えて路上に出す場合に、予備苗載置部及び支持フレームを退避位置に移動させればよい。従って、地上の操縦者が機体の前部の前側や横側に立って機体を操縦する場合、退避位置の予備苗載置部及び支持フレームが地上の操縦者から後方に比較的離れた位置に位置することになるので、地上の操縦者にとって退避位置の予備苗載置部及び支持フレームが邪魔になり難い。
【００２６】
請求項１１の特徴によると、前述のように例えば畦を越えて機体を水田に入れる場合や畦を越えて路上に出す場合以外に、例えば乗用型田植機を納屋に格納するような場合、予備苗載置部及び支持フレームを退避位置に移動させれば、予備苗載置部及び支持フレームが邪魔になることなく乗用型田植機を納屋に格納することができる。
請求項１１の特徴によると、機体左右方向の横軸芯周りに前後に揺動自在な支持リンクを、機体の前部の横側部に備えて上方に延出し、機体左右方向の横軸芯周りに前後に揺動自在な支持フレームを支持リンクの上部に備え、苗を載置する予備苗載置部を支持フレームに備えているので、予備苗載置部及び支持フレームを作業位置、補給位置及び退避位置に移動させる際に、予備苗載置部及び支持フレームが右（左）の横外側に変位するようなことがない。これにより、請求項１１の特徴によると、前述のように納屋において予備苗載置部及び支持フレームを退避位置に移動させる際に、予備苗載置部及び支持リンクを納屋の他物に当ててしまうようなことが少ない。
請求項１１の特徴によると、ロック機構により予備苗載置部及び支持フレームを退避位置で保持及び保持解除自在に構成しているので、予備苗載置部及び支持フレームをロック機構により退避位置に安定して保持することができる。
【００２７】
【発明の実施の形態】
［１］
図１及び図２に示すように、前輪１及び後輪２で支持された機体に、運転部３が備えられ、機体の後部にリンク機構４及び油圧シリンダ５を介して苗植付装置６が昇降駆動自在に支持されて、乗用型田植機が構成されている。
【００２８】
図１及び図２に示すように、苗植付装置６は４条植型式に構成されており、２個の伝動ケース２１、伝動ケース２１の後部の右及び左の横側部に回転駆動自在に支持された植付ケース２２、植付ケース２２の両端に備えられた一対の植付アーム２３、接地フロート２４、及び苗が載置される苗のせ台２５等を備えて構成されている。これにより、苗のせ台２５が左右に往復横送り駆動されるのに伴って、植付ケース２２が回転駆動され、苗のせ台２５の下部から植付アーム２３が交互に苗を取り出して田面に植え付ける。
【００２９】
図１及び図２に示すように、運転部３においてフロア７の後方の上方に運転座席８が備えられており、運転座席８の後側に肥料を貯留するホッパー２６、繰り出し部２７及びブロア２８が備えられている。接地フロート２４に作溝器２９が備えられて、繰り出し部２７と作溝器２９とに亘ってホース３０が接続されている。これにより、前述のような苗の植え付けに伴って、ホッパー２６から肥料が所定量ずつ繰り出し部２７によって繰り出されて、ブロア２８の送風により肥料がホース３０を通って作溝器２９に供給されるのであり、作溝器２９を介して肥料が田面に供給される。
【００３０】
［２］
次に、運転部３の付近の構造について説明する。
図１，２，３に示すように、フロア７の後方の上方に運転座席８が備えられ、エンジン（図示せず）を覆うボンネット９がフロア７の前方に備えられており、ボンネット９の右及び左の横側部に、フロア７につながる右及び左のステップ１０が備えられている。前輪１を操向操作するステアリングハンドル１１がボンネット９の上部に備えられており、ボンネット９の上部においてステアリングハンドル１１の右の横側部に、エンジンのアクセル部を操作するアクセルレバー１５及び昇降レバー１２が備えられ、ステアリングハンドル１１の左の横側部に、主変速レバー１３が備えられられている。ボンネット９の後面における左の横側部に副変速レバー１６が備えられている。
【００３１】
図１，２，３に示すように、昇降レバー１２は上昇位置、中立位置、下降位置及び植付位置に操作自在であり、後側から前側に向けて上昇位置、中立位置、下降位置及び植付位置が、この順序で配置されている（図２に示す状態は、昇降レバー１２を中立位置に操作している状態）。昇降レバー１２を上昇位置に操作すると、苗植付装置６に動力を伝達する植付クラッチ（図示せず）が遮断状態に操作されて、油圧シリンダ５により苗植付装置６が上昇駆動される。昇降レバー１２を中立位置に操作すると、植付クラッチが遮断状態に操作されて、油圧シリンダ５が停止する。昇降レバー１２を下降位置に操作すると、植付クラッチが遮断状態に操作されて、油圧シリンダ５により苗植付装置６が下降駆動される。昇降レバー１２を植付位置に操作すると、植付クラッチが伝動状態に操作されて、苗植付装置６が田面から設定高さに維持されるように油圧シリンダ５により自動的に昇降駆動される。
【００３２】
静油圧式無段変速装置（図示せず）及びギヤ変速式の副変速装置（図示せず）が備えられており、エンジンの動力がベルト型式のテンションクラッチ（図示せず）を介して静油圧式無段変速装置に伝達され、静油圧式無段変速装置から副変速装置を介して、前輪１及び後輪２に伝達される。静油圧式無段変速装置は中立位置、前進の高速側及び後進の高速側に無段階に変速自在に構成されており、副変速装置は低速の植付走行位置及び高速の路上走行位置の２位置切換式に構成されている。
【００３３】
図１及び図２に示す状態は主変速レバー１３を中立位置に操作している状態であり、静油圧式無段変速装置が中立位置に操作されて機体は停止している。主変速レバー１３を中立位置から前方の前進変速域に操作すると、静油圧式無段変速装置が前進の高速側に操作されるのであり、主変速レバー１３を中立位置から後方の後進変速域に操作すると、静油圧式無段変速装置が後進の高速側に操作される。図１に示すように、副変速レバー１６を上方及び下方に操作することによって、副変速装置が低速の植付走行位置及び高速の路上走行位置に操作される。
【００３４】
図２及び図３に示すように、右のステップ１０におけるフロア７に近い部分に操作ペダル１４が備えられており、操作ペダル１４を下方の踏み位置に操作すると、静油圧式無段変速装置が中立位置に操作され、前輪１及び後輪２を制動可能なブレーキ（図示せず）が制動側に操作される。操作ペダル１４を上方の戻し位置に操作すると、静油圧式無段変速装置が中立位置に残された状態で、ブレーキが制動解除側に操作されるのであり、バネ（図示せず）により操作ペダル１４が上方の戻し位置側に付勢されている。
【００３５】
図２及び図３に示すように、操作ペダル１４におけるボンネット９側に隣接する位置に操作レバー１７が備えられており、操作レバー１７が上方の走行位置及び下方の停止位置に上下に操作自在に構成されて、上方の走行位置に付勢されている。操作レバー１７を上方の走行位置に操作すると、前述のテンションクラッチが伝動状態に操作されて前述のブレーキが制動解除側に操作されるのであり、操作レバー１７を下方の停止位置に操作すると、前述のテンションクラッチが遮断状態に操作されて前述のブレーキが制動側に操作される。
【００３６】
図２及び図３に示すように、操作ペダル１４及び操作レバー１７を連結及び連結解除自在な連結金具４９が操作レバー１７に備えられている。これにより、連結金具４９により操作ペダル１４及び操作レバー１７を連結していない状態で、操作ペダル１４及び操作レバー１７を独立に上方の戻し位置及び下方の踏み位置（上方の走行位置及び下方の停止位置）に操作することができる。連結金具４９により操作ペダル１４及び操作レバー１７を連結した状態で、操作ペダル１４及び操作レバー１７を一緒に上方の戻し位置及び下方の踏み位置（上方の走行位置及び下方の停止位置）に操作することができる。
【００３７】
図２及び図３に示すように、右のステップ１０において、操作ペダル１４及び操作レバー１７の前側の部分にロックレバー１８が備えられている。連結金具４９により操作ペダル１４及び操作レバー１７を連結していない状態で、ロックレバー１８により、操作ペダル１４及び操作レバー１７を独立に下方の踏み位置及び下方の停止位置に保持することができる。連結金具４９により操作ペダル１４及び操作レバー１７を連結した状態で、ロックレバー１８により操作ペダル１４及び操作レバー１７を一緒に下方の踏み位置及び下方の停止位置に保持することができる。
【００３８】
図１，２，３に示すように、エンジンを支持する前フレーム１９が機体の前部の下部に備えられており、前フレーム１９の機体左右方向の横軸芯Ｐ１周りに、操作アーム２０が揺動自在に支持されている。操作アーム２０は正面視で逆Ｕ字状に構成されて、図１に示すように上方に起立した格納位置、及び機体の前部から前方に出た作業位置に亘り揺動自在に構成されている。操作アーム２０を作業位置に操作すると、前輪１及びステアリングハンドル１１が直進位置で保持されて、操作アーム２０を格納位置に操作すると、前輪１及びステアリングハンドル１１の保持が解除されるように構成されている。
【００３９】
［３］
次に、機体の前部の右及び左の横側部に備えられる予備苗のせ台について説明する。
図１及び図３に示すように、前フレーム１９に固定された支持フレーム３１が右及び左の横外側に延出されており、板材をＵ字状に折り曲げて構成された支持部材３２が支持フレーム３１の端部に固定されて、支持部材３２が右及び左のステップ１０の右及び左の横外側に位置している。
【００４０】
図４及び図５に示すように、支持部材３２の機体左右方向の横軸芯Ｐ２周りに支持リンク３３が前後に揺動自在に支持されて上方に延出され、支持部材３２の機体左右方向の横軸芯Ｐ３周りに、前リンク３４が前後に揺動自在に支持されて上方に延出されており、板材を逆Ｕ字状に折り曲げて構成された支持部材３５が支持リンク３３及び前リンク３４の上部における機体左右方向の横軸芯Ｐ４，Ｐ５周りに揺動自在に支持されている。これにより、支持リンク３３及び前リンク３４、支持部材３２，３５により平行四連リンクが構成されている。
【００４１】
図４及び図５に示すように、１つの支持フレーム３６が支持部材３５に固定されて上方に延出されている。平面視コ字状の支持部材３７，３８が支持フレーム３６に上下２箇所に固定されており、支持部材３７，３８の機体前後方向の横軸芯Ｐ６，Ｐ７周りに、予備苗載置部３９が右（左）の横外方に向く作業位置及び上方に向き格納位置に揺動自在に支持されている。
【００４２】
以上の構造により、図４に示すように、予備苗載置部３９及び支持フレーム３６、支持リンク３３が、機体の前部の横側部に位置して略上方に向く作業位置Ａ１、作業位置Ａ１よりも前方の下方に位置して略上方に向く補給位置Ａ２、及び作業位置Ａ１よりも後方の下方に位置して略上方に向く退避位置Ａ３に亘り、略平行に移動自在となっている。
【００４３】
図３，４，５に示すように、トーションバー４４が支持フレーム３１と平行に備えられており、トーションバー４４の内側の端部４４ａが前フレーム１９に固定され、トーションバー４４の外側の端部４４ｂが支持リンク３３に接続されている。図４に示すように、予備苗載置部３９及び支持フレーム３６、支持リンク３３の作業位置Ａ１において、トーションバー４４が自由状態となっており、予備苗載置部３９及び支持フレーム３６、支持リンク３３が作業位置Ａ１から補給位置Ａ２側及び退避位置Ａ３側に移動すると、予備苗載置部３９及び支持フレーム３６、支持リンク３３を作業位置Ａ１側に付勢しようとする付勢力が、トーションバー４４に発生する。
【００４４】
図４に示すように、支持部材３５の後部にストッパー３５ａが固定され、予備苗載置部３９及び支持フレーム３６、支持リンク３３の補給位置Ａ２において、支持リンク３３が支持部材３５のストッパー３５ａに接当することにより、予備苗載置部３９及び支持フレーム３６、支持リンク３３が補給位置Ａ２から前方に移動する状態が止められる。支持部材３２の一部が延出され折り曲げられてストッパー３２ａが構成されており、予備苗載置部３９及び支持フレーム３６、支持リンク３３の退避位置Ａ３において、支持リンク３３が支持部材３２のストッパー３２ａに接当することによって、予備苗載置部３９及び支持フレーム３６、支持リンク３３が退避位置Ａ３から後方に移動する状態が止められる。
【００４５】
［４］
次に、予備苗のせ台の保持及び保持解除の構造について説明する。
図５及び図６（イ）に示すように半円状に形成された保持部材４０が備えられており、保持部材４０の下部４０ａが下方に延出されてＬ字状に折り曲げられて、保持部材４０の下部４０ａが支持リンク３３の上部に固定されている。これにより、図５に示すように、保持部材４０と支持リンク３３の上部との間に支持部材３５が挟み込まれる状態となっており、支持リンク３３に対する支持フレーム３６（支持部材３５）の機体左右方向の傾斜が防止されている。
【００４６】
図５及び図６（イ）に示すように、保持部材４０の上部に機体前後方向に沿って５個の係合孔４０ｂが備えられている。支持フレーム３６にブラケット４１が固定されて、固定ロッド４２がブラケット４１に上下動自在に支持されており、固定ロッド４２を下方（保持部材４０の係合孔４０ｂへの挿入側）に付勢するバネ４３が、ブラケット４１に備えられている。
【００４７】
図５及び図６（イ）に示すように、固定ロッド４２を保持部材４０の係合孔４０ｂに挿入及び抜き出すことによって、支持リンク３３に対する予備苗載置部３９及び支持フレーム３６の姿勢を保持及び保持解除することができるのであり、機体に対する支持リンク３３の姿勢を保持及び保持解除することができる。従って、固定ロッド４２を保持部材４０の係合孔４０ｂに挿入及び抜き出すことによって、予備苗載置部３９及び支持フレーム３６、支持リンク３３を図４に示すように作業位置Ａ１、補給位置Ａ２及び退避位置Ａ３、作業位置Ａ１と補給位置Ａ２との間の位置、作業位置Ａ１と退避位置Ａ３との間の位置に保持及び保持解除することができる。以上のように、保持部材４０及び固定ロッド４２により、ロック機構４５が構成されている。
【００４８】
図５及び図６（イ）に示すように、支持部材３８の一部が下方に延出されＵ字状に折り曲げられて、ブラケット３８ａが構成されており、支持部材３８のブラケット３８ａの機体左右方向の横軸芯Ｐ８周りに、丸パイプ状の操作具４６が上下に揺動自在に支持されている。支持部材３８の一部が下方に延出されＵ字状に折り曲げられて、ストッパー３８ｂ，３８ｃが構成されており、支持部材３８のストッパー３８ｂ，３８ｃに操作具４６が接当する範囲で、操作具４６が上下に揺動自在に構成されている。固定ロッド４２の上端部４２ａが折り曲げられて、操作具４６の開口４６ｃに固定ロッド４２の上端部４２ａが挿入されている。
【００４９】
図１，２，３に示すように、操作具４６が前方及び後方に延出されて、操作具４６の前側の端部が予備苗載置部３９の前部から前方に出ており、操作具４６の後側の端部が予備苗載置部３９の後部から後方に出ている。操作具４６の前側の端部及び後側の端部が折り曲げられて握り部４６ａ，４６ｂが構成されており、操作具４６の前側及び後側の握り部４６ａ，４６ｂが、機体左右方向で予備苗載置部３９側に延出されている。
【００５０】
これにより、図２に示すように、操作具４６の前側及び後側の握り部４６ａ，４６ｂが右及び左のステップ１０とは反対の右及び左の横外方に向く状態となっており、操作具４６の前側及び後側の握り部４６ａ，４６ｂが予備苗載置部３９から右及び左の横外方に出ない状態となっている（操作具４６の前側及び後側の握り部４６ａ，４６ｂが、平面視で予備苗載置部３９の左右幅の範囲からあまり出ない状態となっている）。
【００５１】
［５］
次に、予備苗のせ台の保持及び保持解除の操作について説明する。
図４及び図６（イ）に示す状態は、予備苗載置部３９及び支持フレーム３６、支持リンク３３が作業位置Ａ１に位置している状態であり、固定ロッド４２が保持部材４０の係合孔４０ｂに挿入されて、予備苗載置部３９及び支持フレーム３６、支持リンク３３が作業位置Ａ１に保持されている状態である。
【００５２】
前述のように、予備苗載置部３９及び支持フレーム３６、支持リンク３３が作業位置Ａ１に位置している状態において、図４に示す側面視で支持リンク３３及び支持フレーム３６が機体に対して真っ直ぐに上方に延出されており、支持リンク３３及び支持フレーム３６が略一直線に並ぶ状態となっている。図６（イ）に示す側面視で、バネ４３の付勢力により操作具４６が支持部材３８のストッパー３８ｂに接当することにより、操作具４６が予備苗載置部３９と略同じ高さで予備苗載置部３９と略平行な状態となっており、図２に示すように、操作具４６の前側の握り部４６ａが予備苗載置部３９の前部から所定間隔を置いて前方に位置し、操作具４６の後側の握り部４６ｂが予備苗載置部３９の後部から所定間隔を置いて後方に位置している。
【００５３】
図４及び図６（イ）に示すように、予備苗載置部３９及び支持フレーム３６、支持リンク３３が作業位置Ａ１に位置している状態において、図４の二点鎖線及び図６（ロ）に示すように、操作具４６の前側の握り部４６ａを上方に操作すると（操作具４６の後側の握り部４６ｂを下方に操作すると）、固定ロッド４２が上昇して保持部材４０の係合孔４０ｂから抜き出される。
【００５４】
これにより、予備苗載置部３９及び支持フレーム３６、支持リンク３３をトーションバー４４に抗して斜め前方下方に移動させることにより、予備苗載置部３９及び支持フレーム３６、支持リンク３３を、図４に示すように作業位置Ａ１から作業位置Ａ１と補給位置Ａ２との間の位置、補給位置Ａ２に移動させることができ、予備苗載置部３９及び支持フレーム３６、支持リンク３３をトーションバー４４に抗して斜め後方下方に移動させることにより、予備苗載置部３９及び支持フレーム３６、支持リンク３３を作業位置Ａ１から作業位置Ａ１と退避位置Ａ３との間の位置、退避位置Ａ３に移動させることができる。
【００５５】
この後、図４の実線及び図６（イ）に示すように、操作具４６の前側の握り部４６ａを下方に操作すると（操作具４６の後側の握り部４６ｂを上方に操作すると）、固定ロッド４２が下降し保持部材４０の係合孔４０ｂに挿入して、予備苗載置部３９及び支持フレーム３６、支持リンク３３が補給位置Ａ２及び退避位置Ａ３、作業位置Ａ１と補給位置Ａ２との間の位置、作業位置Ａ１と退避位置Ａ３との間の位置に保持される。
【００５６】
図４に示すように、予備苗載置部３９及び支持フレーム３６、支持リンク３３を補給位置Ａ２、作業位置Ａ１と補給位置Ａ２との間の位置から斜め後方上方に移動させて作業位置Ａ１に移動させる場合、予備苗載置部３９及び支持フレーム３６、支持リンク３３を退避位置Ａ３、作業位置Ａ１と退避位置Ａ３との間の位置から斜め前方上方に移動させて作業位置Ａ１に移動させる場合、前述と同様に操作具４６の前側の握り部４６ａを下方に操作するのであるが（操作具４６の後側の握り部４６ｂを上方に操作するのであるが）、この場合にはトーションバー４４が予備苗載置部３９及び支持フレーム３６、支持リンク３３の移動の補助になる。
【００５７】
［発明の実施の第１別形態］
前述の［発明の実施の形態］の支持部材３８及び操作具４６の構造に代えて、図７（イ）（ロ）（ハ）に示すように構成してもよい。
図７（イ）に示すように、支持部材３８のブラケット３８ａ、及びストッパー３８ｂ，３８ｃ（図６（イ）（ロ）参照）を廃止して、支持部材３８からブラケット３８ｄを延出し、支持部材３８のブラケット３８ｄに円弧状の長孔３８ｅを備える。操作具４６に機体左右方向の横向きの一対のピン４６ｄを備えて、操作具４６のピン４６ｄを支持部材３８の長孔３８ｅに挿入し、操作具４６の開口４６ｃに固定ロッド４２の上端部４２ａを挿入する。これにより、操作具４６の前側の握り部４６ａが上方に操作可能、操作具４６の後側の握り部４６ｂが上方に操作可能となる。
【００５８】
図７（イ）に示す状態は、固定ロッド４２が下方に操作されて保持部材４０の係合孔４０ｂに挿入されている状態であり、図７（ロ）に示すように操作具４６の前側の握り部４６ａを上方に操作しても、図７（ハ）に示すように操作具４６の後側の握り部４６ｂを上方に操作しても、固定ロッド４２が上方に操作されて保持部材４０の係合孔４０ｂから抜き出される。
【００５９】
［発明の実施の第２別形態］
前述の［発明の実施の形態］の支持部材３８及び操作具４６の構造に代えて、図８（イ）（ロ）（ハ）に示すように構成してもよい。
図８（イ）に示すように、支持部材３８のブラケット３８ａ及びストッパー３８ｂ，３８ｃ（図６（イ）（ロ）参照）を廃止して、支持部材３８に機体前後方向の一対の長孔３８ｆを備える。操作具４６に上下に揺動自在な一対のリンク４７を備えて、リンク４７の端部を支持部材３８の長孔３８ｆにスライド自在に挿入し、操作具４６の開口４６ｃに固定ロッド４２の上端部４２ａを挿入する。これにより、操作具４６の前側の握り部４６ａが上方に操作可能、操作具４６の後側の握り部４６ｂが上方に操作可能となる。
【００６０】
図８（イ）に示す状態は、固定ロッド４２が下方に操作されて保持部材４０の係合孔４０ｂに挿入されている状態であり、図８（ロ）に示すように操作具４６の前側の握り部４６ａを上方に操作しても、図８（ハ）に示すように操作具４６の後側の握り部４６ｂを上方に操作しても、固定ロッド４２が上方に操作されて保持部材４０の係合孔４０ｂから抜き出される。
【００６１】
［発明の実施の第３別形態］
前述の［発明の実施の形態］の支持部材３８及び操作具４６の構造に代えて、図９（イ）（ロ）に示すように構成してもよい。
図９（イ）に示すように、支持部材３８のブラケット３８ａ及びストッパー３８ｂ，３８ｃ（図６（イ）（ロ）参照）を廃止して、支持部材３８にブラケット３８ｇを備える。操作軸４６を支持部材３８のブラケット３８ｇの機体前後方向の横軸芯Ｐ９周りに回転自在に支持し、操作具４６の前側の端部及び後側の端部を予備苗載置部３９側に折り曲げて握り部４６ａ，４６ｂを構成し、操作軸４６に固定されたアーム４６ｅに固定ロッド４２を接続する。
【００６２】
図９（イ）に示す状態は、固定ロッド４２が下方に操作されて保持部材４０の係合孔４０ｂに挿入されている状態であり、操作具４６の前側の握り部４６ａ（後側の握り部４６ｂ）を持って、図９（ロ）に示すように操作具４６を横軸芯Ｐ９周りに紙面反時計方向に回転操作すると、固定ロッド４２が上方に操作されて保持部材４０の係合孔４０ｂから抜き出される。
【００６３】
［発明の実施の第４別形態］
前述の［発明の実施の形態］の支持部材３８及び操作具４６の構造に代えて、図１０に示すように構成してもよい。
図１０に示すように、支持部材３８のブラケット３８ａ及びストッパー３８ｂ，３８ｃ（図６（イ）（ロ）参照）を廃止して、支持フレーム３６にブラケット４８を備える。操作軸４６を支持ブラケット４８の機体前後方向の横軸芯Ｐ１０周りに回転自在に支持し、操作具４６の前側の端部及び後側の端部を上方に折り曲げて握り部４６ａ，４６ｂを構成し、操作軸４６に固定されたアーム４６ｅに固定ロッド４２を接続する。
【００６４】
図１０に示す状態は、固定ロッド４２が下方に操作されて保持部材４０の係合孔４０ｂに挿入されている状態であり、操作具４６の前側の握り部４６ａ（後側の握り部４６ｂ）を持って、操作具４６を横軸芯Ｐ１０周りに図１０の紙面時計方向に回転操作すると、固定ロッド４２が上方に操作されて保持部材４０の係合孔４０ｂから抜き出される。
【００６５】
【発明の効果】
請求項１の特徴によると、乗用型田植機の予備苗のせ台構造において、予備苗載置部及び支持フレームを作業位置及び補給位置に移動自在に構成し、予備苗載置部及び支持フレームを作業位置及び補給位置で保持及び保持解除自在なロック機構を備えた場合、ロック機構を保持状態及び保持解除状態に操作する操作具が比較的高い位置に位置している点、予備苗載置部及び支持フレームの作業位置において操作具が機体の運転部の操縦者に近い状態となる点、並びに、予備苗載置部及び支持フレームの作業位置において操作具が畦の作業者に近い状態となる点により、機体の運転部の操縦者や畦の作業者にとって操作具を比較的容易に持って操作することができるようになって、操作具の操作性を向上させることができた。
【００６６】
請求項２の特徴によると、請求項１の場合と同様に前述の請求項１の「発明の効果」を備えており、この「発明の効果」に加えて以下のような「発明の効果」を備えている。
請求項２の特徴によると、ロック機構を保持状態側に付勢する付勢機構によって、ロック機構が保持状態で安定し、ロック機構が保持状態から保持解除状態に操作され難くなるので、予備苗載置部及び支持フレームの作業位置及び補給位置での安定性を向上させることができた。
【００６７】
請求項３の特徴によると、請求項１又は２の場合と同様に前述の請求項１又は２の「発明の効果」を備えており、この「発明の効果」に加えて以下のような「発明の効果」を備えている。
請求項３の特徴によると、機体の運転部の操縦者にとって、支持フレームが右（左）斜め前方の視界の邪魔になり難いようにすることができ、視界の確保により機体の操縦性を向上させることができた。
【００６８】
請求項４の特徴によると、請求項１〜３のうちのいずれか一つの場合と同様に前述の請求項１〜３の「発明の効果」を備えており、この「発明の効果」に加えて以下のような「発明の効果」を備えている。
請求項４の特徴によると、予備苗載置部及び支持フレームの作業位置において予備苗載置部に載置された苗の重量が無理なく支持フレーム及び支持リンクに掛かって支持されるようになるので、予備苗載置部及び支持フレームの作業位置において、苗を安定して支持することができるようになった。
【００６９】
請求項５の特徴によると、請求項１〜４のうちのいずれか一つの場合と同様に前述の請求項１〜４の「発明の効果」を備えており、この「発明の効果」に加えて以下のような「発明の効果」を備えている。
請求項５の特徴によると、支持フレームにおいて上側の予備苗載置部と下側の予備苗載置部との間の部分に操作具が位置するようなことがなく、予備苗載置部から苗を取り出す際に操作具が邪魔になるようなことがないので、苗の取り扱いに関する作業性を向上させることができた。
【００７０】
請求項６の特徴によると、請求項１〜５のうちのいずれか一つの場合と同様に前述の請求項１〜５の「発明の効果」を備えており、この「発明の効果」に加えて以下のような「発明の効果」を備えている。
請求項６の特徴によると、機体の運転部の操縦者にとって後方に延出された操作具を比較的容易に持って操作することができるのであり、畦の作業者にとって前方に延出された操作具を比較的容易に持って操作することができるようになって、操作具の操作性を向上させることができた。
【００７１】
請求項７の特徴によると、請求項６の場合と同様に前述の請求項６の「発明の効果」を備えており、この「発明の効果」に加えて以下のような「発明の効果」を備えている。
請求項７の特徴によると、後方に延出された操作具を下方に操作する動作と、予備苗載置部及び支持フレームが作業位置から補給位置に斜め前方下方に移動する状態とが同じような方向となる点、並びに、前方に延出された操作具を上方に操作する動作と、予備苗載置部及び支持フレームが補給位置から作業位置に斜め後方上方に移動する状態とが同じような方向となる点により、後方（前方）に延出された操作具の下方（上方）への操作が、予備苗載置部及び支持フレームの作業位置から補給位置への移動（補給位置から作業位置への移動）に無駄なく伝達されるようになって、操作具の操作性を向上させることができた。
【００７２】
請求項８の特徴によると、請求項６又は７の場合と同様に前述の請求項６又は７の「発明の効果」を備えており、この「発明の効果」に加えて以下のような「発明の効果」を備えている。
請求項８の特徴によると、機体の運転部の操縦者（畦の作業者）にとって、操作具の握り部が持ち易いものとなっている点、並びに、後方（前方）に延出された操作具を操作しない状態において、操作具の握り部が邪魔になるようなことが少ない点により、操作具の操作性を向上させることができた。
【００７３】
請求項９の特徴によると、請求項１〜８のうちのいずれか一つの場合と同様に前述の請求項１〜８の「発明の効果」を備えており、この「発明の効果」に加えて以下のような「発明の効果」を備えている。
請求項９の特徴によると、１つのロック機構によって支持リンクに対する支持フレームの姿勢の固定、機体に対する支持リンクの姿勢の固定を行うことができて、予備苗載置部及び支持フレームを作業位置及び補給位置で保持することができるようになるので、ロック機構の構造の簡素化の面で有利なものとなった。
【００７４】
請求項１０の特徴によると請求項９の場合と同様に前述の請求項９の「発明の効果」を備えており、この「発明の効果」に加えて以下のような「発明の効果」を備えている。
請求項１０の特徴によると、ロック機構を支持リンクと支持フレームとの接続部分に備えた場合、ロック機構を構成する部材が、支持リンクに対する支持フレームの機体左右方向の傾斜を防止する部材に兼用されるので、構造の簡素化の面で有利なものとなった。
【００７５】
請求項１１の特徴によると、請求項１〜１０のうちのいずれか一つの場合と同様に前述の請求項１〜１０の「発明の効果」を備えており、この「発明の効果」に加えて以下のような「発明の効果」を備えている。  請求項１１の特徴によると、地上の操縦者が機体の前部の前側や横側に立って機体を操縦する場合、予備苗載置部及び支持フレームを退避位置に移動させることにより、地上の操縦者にとって退避位置の予備苗載置部及び支持フレームが邪魔になり難いようにすることができて、地上の操縦者が機体の前部の前側や横側に立って機体を操縦する場合の操縦性を向上させることができた。
【００７６】
請求項１１の特徴によると、例えば乗用型田植機を納屋に格納するような場合に、予備苗載置部及び支持フレームを退避位置に移動させることにより、予備苗載置部及び支持フレームが邪魔になることなく乗用型田植機を納屋に格納することができる点、並びに、納屋において予備苗載置部及び支持フレームを退避位置に移動させる際に、予備苗載置部及び支持フレームを納屋の他物に当ててしまうようなことが少ない点によって、予備苗載置部及び支持フレームの機能性が高いものとなっている。
請求項１１の特徴によると、予備苗載置部及び支持フレームをロック機構により退避位置に安定して保持することができるようになって、予備苗載置部及び支持フレームの退避位置での安定性を向上させることができた。
【図面の簡単な説明】
【図１】
乗用型田植機の全体側面図
【図２】
乗用型田植機の全体平面図
【図３】
乗用型田植機の正面図
【図４】
作業位置（補給位置及び退避位置）での予備苗載置部及び支持フレーム、支持リンクの付近の側面図
【図５】
予備苗載置部及び支持フレーム、支持リンクの付近の正面図
【図６】
操作具の前側の握り部を下方及び上方に操作した状態（操作具の後側の握り部を上方及び下方に操作した状態）を示す予備苗載置部及び支持フレームの付近の縦断側面図
【図７】
発明の実施の第１別形態において、操作具の前側及び後側の握り部を上方に操作した状態を示す操作具の付近の側面図
【図８】
発明の実施の第２別形態において、操作具の前側及び後側の握り部を上方に操作した状態を示す操作具の付近の側面図
【図９】
発明の実施の第３別形態において、操作具を回転操作した状態を示す操作具の付近の正面図
【図１０】
発明の実施の第４別形態において、操作具の付近の正面図
【符号の説明】
３３            支持リンク
３６            支持フレーム
３９            予備苗載置部
４０            ロック機構を構成する部材
４３            付勢機構
４５            ロック機構
４６            操作具
４６ａ，４６ｂ  握り部
Ａ１            作業位置
Ａ２            補給位置
Ａ３            退避位置
Ｐ２，Ｐ４      横軸芯